(57)【要約】      （修正有）【課題】  車両左側のハンドレバーの操作のみで車両左側と車両右側の両方の回転爪を同時に回転させ、汚水汚泥タンクの開閉扉をロックおよびロック解除可能とすること。【解決手段】  車両後部に搭載した汚水汚泥タンクの後端部に取付けられた開閉扉をロックまたはロック解除する左右一対の回転爪と、左側の前記回転爪を開閉操作するハンドレバーと、前記ハンドレバーと車両右側の回転爪の回転軸とを連結するワイヤとを備え、車両左側のハンドレバーの開閉操作により左右一対の回転爪を同時に開閉作動させるようにしたことを特徴とする吸引車の後部扉ロック装置。【選択図】  図１
2005088633.tif 000002
【特許請求の範囲】
【請求項１】
車両後部に搭載した汚水汚泥タンクの後端部に取付けられた開閉扉をロックまたはロック解除する左右一対の回転爪と、左側の前記回転爪を開閉操作するハンドレバーと、前記ハンドレバーと車両右側の回転爪の回転軸とを連結する連動手段とを備え、車両左側のハンドレバーの開閉操作により左右一対の回転爪を同時に開閉作動させるようにしたことを特徴とする吸引車のタンクの後部扉ロック装置。
【請求項２】
前記左右一対の回転爪の回転軸に半径方向に突出した被検知部材を取付けると共に、前記左右一対の回転爪の開放位置で前記被検知部材を検出する近接スイッチとを備えたことを特徴とする請求項１記載の吸引車のタンクの後部扉ロック装置。
【発明の詳細な説明】
【技術分野】
【０００１】
本発明は汚水や汚泥等を吸引する吸引車のタンクの後部扉ロック装置に関する。
【背景技術】
【０００２】
図４に示すように、下水や側溝の汚水・汚泥等を吸引する吸引車１は汚水汚泥タンク２を搭載している。このタンク２の後部には上端ヒンジ部３を中心として上下方向に開閉自在な円形の開閉扉４が取付けられている。開閉扉４はタンク２の両側に配設された左右一対のシリンダ５を同時に伸縮作動させることにより開閉される。
【０００３】
この開閉扉４の周縁部左右２箇所には、図５に示すように回転爪６によるロック装置が設けられている。この回転爪６は図６に示すハンドレバー７を下側に向けて少なくとも９０度以上回転操作することにより開閉扉４の周縁フランジ部４ａから離脱してロックを解除し、シリンダ５の伸長による開閉扉４の開放を可能とする。このハンドレバー７がロック位置にある時に誤ってシリンダ５を伸長作動させると回転爪６を破損してしまうので、開閉扉４を開放するときは必ずハンドレバー７が下側のロック解除位置に降りていることを確認してからシリンダ５を操作するようにしている。
【発明の開示】
【発明が解決しようとする課題】
【０００４】
回転爪６とハンドレバー７は左右対象形式でそれぞれ左右に設けられているため、回転爪６をロックまたはロック解除する時は、その度に作業者が車両の左右に移動してハンドレバー７を操作しなければならない。またシリンダ５を伸長作動させる直前もハンドレバー７が下側のロック解除位置に下りているかどうかを確認するために車両の左右に移動して目視確認しなければならない。
【０００５】
吸引車１による作業中は車両を道路左側に停車させて作業をすることが多いが、車両の右側は他の往来車両が通過するため右側のハンドレバー７を操作または確認する際には他の往来車両に十分に気を付けなければならない。道路幅が狭い場合は車両右側に安全スペースが少ないのでいっそう注意が必要である。
【０００６】
本発明の目的は、車両左側のハンドレバーの操作のみで車両左側と車両右側の両方の回転爪を同時に回転させロックおよびロック解除可能とすることにある。
【課題を解決するための手段】
【０００７】
本発明は前記課題を解決するためなされたものであって、車両後部に搭載した汚水汚泥タンクの後端部に取付けられた開閉扉をロックまたはロック解除する左右一対の回転爪と、左側の前記回転爪を開閉操作するハンドレバーと、前記ハンドレバーと車両右側の回転爪の回転軸とを連結する連動手段とを備え、車両左側のハンドレバーの開閉操作により左右一対の回転爪を同時に開閉作動させるようにした。
【０００８】
すなわち、本発明はワイヤ、リンクロッド、油圧連動機構または電気的連動機構などを利用した連動手段によって、左側のハンドレバー１本の操作だけで左側と右側の両方の回転爪を同時にロックまたはロック解除作動させるものである。
【０００９】
左右の回転爪がロック位置にあるかロック解除位置にあるかは、左側のハンドレバーの位置を見れば分かるのであるが、連動手段が故障している等の事態も皆無とはいえないから、安全装置として、左右一対の回転爪の回転軸に半径方向に突出した被検知部材を取付けると共に、前記左右一対の回転爪のロック解除位置で前記被検知部材を検出する近接スイッチとを設けるようにしてもよい。こうすれば左右の回転爪がロック解除位置にあるか否かを確実に検出して作業者に報知することができる。
【００１０】
なお、左側のハンドレバーと左側の回転爪をさらに別の連動手段で連結すれば、車両の任意の位置にハンドレバーなどの回転爪の操作部材を配設することが可能となり、設計上の自由度が大幅に拡大する。
【発明の効果】
【００１１】
本発明は前述の如く、車両後部に搭載した汚水汚泥タンクの後端部に取付けられた開閉扉をロックまたはロック解除する左右一対の回転爪と、左側の前記回転爪を回転操作するハンドレバーと、前記ハンドレバーと車両右側の回転爪の回転軸とを連結する連動手段とを備え、車両左側のハンドレバーの開閉操作により左右一対の回転爪を同時に回転作動させるようにしたので、車両左側のハンドレバーの操作だけで左右両側の回転爪をロックまたはロック解除操作することができるから、回転爪のロックまたはロック解除操作あるいはロック状態の確認の度に車両の左側から右側に移動する必要がなくなり、作業者の負担が大幅に軽減されて作業性が向上し、かつ、車両右側において他の往来車両に気を配りながら作業する必要もなくなる。
【発明を実施するための最良の形態】
【００１２】
以下、本発明の一実施形態を図面に基づいて説明する。図１〜図３に示すように、本発明のロック装置は車両左側のハンドレバー７の基端部付近に設けたブラケット８に、連動手段としてのワイヤ９の一端を連結し、このワイヤ９を図１のようにタンク２の下側を通して車両右側まで引き回し、図２（Ｂ）のように、車両右側の回転爪の回転軸１０に対して半径方向に突設したブラケット１１の先端に連結している。ワイヤ９の外チューブ１２は図２（Ａ）（Ｂ）のようにブラケット１３を介してタンク２側壁に固定している。なお、ワイヤ９はタンク２の下側を通すほか、タンク２の上側や後側を通して車両右側まで引き回すことも可能である。
【００１３】
左右の回転爪６の回転軸１０にはボルト１４が直角に固定されている。一方、回転軸１０の近傍に近接スイッチ１５が配設されている。そして回転爪６のロック解除位置においてボルト１４の頭部が近接スイッチ１５に最接近するように構成されている。左側の回転爪６の回転軸１０の周りには周方向に異なる位置に２本のピン１６、１７が突設されている。これらピン１６、１７は周方向でほぼ９０度の角度差をなして取付けられ、ハンドレバー７を開位置または閉位置に操作するとその基端部の延長突起部７ａがいずれか一方のピン１６または１７に当接してハンドレバー７をそれ以上操作することを不能にする。これによりワイヤ９に無理な負荷が作用するのを防止し、また回転爪６の破損等を未然に防止する。
【００１４】
ロック装置は以上のように構成され、開閉扉４を開放する場合は図１において車両左側のハンドレバー７を上側のロック位置から下側のロック解除位置に向けて約９０度回動操作する。この操作により、左側の回転爪６はハンドレバー７によって回転軸１０が直接的に回転されることによりロック解除位置まで回転する。同時に、右側の回転爪６はその回転軸１０がワイヤ９を介して車両左側のハンドレバー７に連結されているため、左側の回転爪６の回転とまったく同期する形で右側の回転爪６もロック解除位置まで回転する。左右両方の回転爪６がロック解除位置まで回転すると、近接スイッチ１５が回転軸１０に固定されたボルト１４の頭部を検知し、回転爪６がロック解除位置まで到達したことを検出する。この検出結果は車両中央部の操作盤上やその他車両の適当な位置においてランプ点灯等で表示され、シリンダ５を伸長作動して開閉扉４を開動作してもよいことを作業者に報知する。なお、開閉扉４を閉じる場合はハンドレバー７を前記とは逆に下側から上側に向けて操作すると左右の回転爪６が同時にロック位置まで回転し、開閉扉４がロックされる。
【００１５】
以上、本発明の一実施形態につき説明したが、本発明は前記実施形態に限定されることなく種々の変形が可能であり、例えば前記実施形態では連動手段としてワイヤ使用したが、ワイヤ以外の連動手段として、例えばリンクロッド、油圧連動機構または電気的連動機構などを利用することも可能である。
【図面の簡単な説明】
【００１６】
【図１】本発明に係るロック装置を示す汚水汚泥タンク後部の正面図。
【図２】（Ａ）は車両左側のハンドレバーの正面図、（Ｂ）は車両右側の回転爪の回転軸の正面図。  本発明に係る。
【図３】（Ａ）は車両左側の回転爪と回転軸の側面図、（Ｂ）は車両右側の回転爪と回転軸の側面図。
【図４】吸引車の側面図。
【図５】吸引車の後面図。
【図６】（Ａ）は従来のロック装置の側面図、（Ｂ）は従来のロック装置の正面図。
【符号の説明】
【００１７】
１     吸引車
２     汚水汚泥タンク
３     上端ヒンジ部
４     開閉扉
４ａ   周縁フランジ部
５     シリンダ
６     回転爪
７     ハンドレバー
７ａ   延長突起部
８     ブラケット
９     ワイヤ（連動手段）
１０   回転軸
１１   ブラケット
１２   外チューブ
１３   ブラケット
１４   ボルト
１５   近接スイッチ
１６，１７    ピン
【図１】
2005088633.tif 000003
【図２】
2005088633.tif 000004
【図３】
2005088633.tif 000005
【図４】
2005088633.tif 000006
【図５】
2005088633.tif 000007
【図６】
2005088633.tif 000008